(57)【要約】【課題】本発明は、投影機、投影システム及び映像投影方法を提供する。【解決手段】投影機は、映像処理回路、処理器回路及びメモリ回路を含む。映像処理回路は、第一映像画面を調整するために用いられる。処理器回路は、映像処理回路に電気接続される。処理器回路は、投影機の第一表示モード下で、第一映像画面を第二映像画面に結合するために用いられる。メモリ回路は、処理器回路に電気接続される。メモリ回路は、第二映像画面を予め記憶するために用いられる。投影機は、結合後の第一映像画面及び第二映像画面を投影対象に投影する。本発明は、投影システムの設置コストを低減し、また、表示画面の投影対象上での位置を移動しやすくすることができる。【選択図】図１
2018066991.tif 000002
【特許請求の範囲】
【請求項１】
投影機であって、
映像処理回路、処理器回路、及びメモリ回路を含み、
前記映像処理回路は、第一映像画面を調整するために用いられ、
前記処理器回路は、前記映像処理回路に電気接続され、前記投影機の第一表示モード下で、前記第一映像画面を第二映像画面に結合するために用いられ、
前記メモリ回路は、前記処理器回路に電気接続され、前記第二映像画面を予め記憶するために用いられ、
前記処理器回路は、前記第一映像画面と前記第二映像画面を結合して表示画面を形成し、前記投影機は、前記表示画面を投影対象に投影する、投影機。
【請求項２】
請求項1に記載の投影機であって、
前記処理器回路は、制御信号に基づいて、前記第一映像画面の、前記第二映像画面に対応する位置を制御する、投影機。
【請求項３】
請求項2に記載の投影機であって、
前記制御信号は、手振り、タッチコントロール信号、及びリモコンの出力信号のうちから選択された１つである、投影機。
【請求項４】
請求項1に記載の投影機であって、
前記処理器回路は、タッチコントロール装置のタッチコントロール信号に基づいてタッチコントロール情報を提供し、前記投影機は、前記第二映像画面上で、又は、前記第一映像画面と前記第二映像画面が結合され形成された前記表示画面上で、前記タッチコントロール情報を表示させる、投影機。
【請求項５】
請求項1に記載の投影機であって、
前記投影機は、第二表示モード及び第三表示モードをさらに含み、
前記投影機は、前記第二表示モード下で、前記第一映像画面を前記投影対象に投影し、
前記投影機は、前記第三表示モード下で、前記第二映像画面を前記投影対象に投影する、投影機。
【請求項６】
請求項1に記載の投影機であって、
前記映像処理回路は、ホスト・コンピューター・システムから前記第一映像画面を受信するために用いられ、
前記ホスト・コンピューター・システムは、前記第一映像画面を表示するために用いられる、投影機。
【請求項７】
請求項1に記載の投影機であって、
前記投影対象は、実体ブラックボード、実体ホワイトボード、及び投影スクリーンのうちから選択された１つである、投影機。
【請求項８】
請求項1に記載の投影機であって、
前記第二映像画面は、前記メモリ回路に予め記憶されている所定の画面である、投影機。
【請求項９】
請求項1に記載の投影機であって、
前記処理器回路に電気接続されるライトバルブ制御回路をさらに含み、
前記処理器回路は、制御信号に基づいて、映像情報を前記ライトバルブ制御回路に提供し、これにより、前記ライトバルブ制御回路は、ライトバルブを制御して、前記第一映像画面と前記第二映像画面が結合された後の前記表示画面を投影対象に投影させ、前記第一映像画面の、前記第二映像画面に対応する位置を動的に調整させる、投影機。
【請求項１０】
投影機に用いる映像投影方法であって、
ホスト・コンピューター・システムにより出力された第一映像画面を受信し、且つ前記第一映像画面を調整し；
前記投影機の第一表示モード下で、前記第一映像画面を、前記投影機に予め記憶されている第二映像画面に結合し；及び
前記投影機の前記第一表示モード下で、前記第一映像画面と前記第二映像画面が結合された後の表示画面を投影対象に投影するステップを含む、映像投影方法。
【請求項１１】
請求項10に記載の映像投影方法であって、
制御信号に基づいて、前記第一映像画面の、前記第二映像画面に対応する位置を制御するステップをさらに含む、映像投影方法。
【請求項１２】
請求項11に記載の映像投影方法であって、
前記制御信号は、手振り、タッチコントロール信号、及びリモコンの出力信号のうちから選択された１つである、映像投影方法。
【請求項１３】
請求項10に記載の映像投影方法であって、
タッチコントロール装置のタッチコントロール信号に基づいて、前記第二映像画面上で、又は、前記第一映像画面と前記第二映像画面が結合された後の表示画面上で、タッチコントロール情報を表示するステップをさらに含む、映像投影方法。
【請求項１４】
請求項10に記載の映像投影方法であって、
前記投影機を前記第一表示モードから第二表示モードに切り替え；及び
前記投影機の前記第二表示モード下で、前記第一映像画面を前記投影対象に投影するステップをさらに含む、映像投影方法。
【請求項１５】
請求項10に記載の映像投影方法であって、
前記投影機を前記第一表示モードから第三表示モードに切り替え；及び
前記投影機の前記第三表示モード下で、前記第二映像画面を前記投影対象に投影するステップをさらに含む、映像投影方法。
【請求項１６】
請求項10に記載の映像投影方法であって、
前記第一映像画面は、前記ホスト・コンピューター・システムにより表示されている映像画面である、映像投影方法。
【請求項１７】
請求項10に記載の映像投影方法であって、
前記投影対象は、実体ブラックボード、実体ホワイトボード、及び投影スクリーンのうちから選択された１つである、映像投影方法。
【請求項１８】
請求項17に記載の映像投影方法であって、
前記第二映像画面は、前記メモリ回路に予め記憶されている所定の画面である、映像投影方法。
【請求項１９】
投影システムであって、
投影機、ホスト・コンピューター・システム、及びタッチコントロール装置を含み、
前記投影機は、第一映像画面を調整し、第一表示モード下で前記第一映像画面を第二映像画面に結合し、及び、前記第二映像画面を予め記憶するために用いられ、また、前記投影機は、前記第一映像画面と前記第二映像画面が結合され形成された表示画面を投影対象に投影し、
前記ホスト・コンピューター・システムは、前記投影機に電気接続され、前記第一映像画面を表示するために用いられ、前記投影機は、前記ホスト・コンピューター・システムから前記第一映像画面を受信し、
前記タッチコントロール装置は、前記投影機及び前記ホスト・コンピューター・システムに電気接続され、タッチコントロール信号を出力するために用いられ、前記投影機は、前記タッチコントロール信号に基づいて、前記第二映像画面上で、又は、前記第一映像画面と前記第二映像画面が結合され形成された前記表示画面上で、タッチコントロール情報を表示させる、投影システム。
【発明の詳細な説明】
【技術分野】
【０００１】
本発明は、光学装置、光学システム及び投影方法に関し、特に、投影機、投影システム及び映像投影方法に関する。
【背景技術】
【０００２】
一般的に言えば、今のところ、投影機は、ホスト・コンピューター・システムに接続された後に、適切な設定により、通常、ホスト・コンピューター・システムに表示されている映像画面を所定の投影対象に投影することができる。特定の応用の場合、投影対象は、環境に合わせて調和的な操作システムを形成することが難しい。例えば、授業の応用の場合、ブラックボード又はホワイトボードなどの伝統的な手書きボードと、投影機との組み合わせで、投影スクリーンに映像画面を投影することにより、授業システムを形成することができるが、投影スクリーンは、一般的に、固定した位置に設置されるため、任意に移動することができず、これにより、使用上の不便をもたらすことがある。従来技術では、デジタル表示ユニットにより投影スクリーンを置換し、スライド・レール・システムを用いて、デジタル表示ユニットと、ブラックボード又はホワイトボードなどの伝統的な手書きボードとを組み合わせることにより、映像結合及び映像移動に類似した機能を提供することがある。しかし、スライド・レール・システムは、複雑且つ高価なものであり、且つ使用時に、使用者の視野の中でブラックボード又はホワイトボードなどの伝統的な手書きボードの情報をすべて表示し、又は、デジタル表示ユニットの映像画面をすべて表示しようとする場合、その切り替えが困難である。
【０００３】
なお、この“背景技術”の部分が、本発明の内容への理解を助けるためだけのものであるため、この“背景技術”の部分に開示されている内容は、当業者に知られていない技術を含む可能性がある。よって、この“背景技術”の部分に開示されている内容は、該内容、又は、本発明の１つ又は複数の実施例が解決しようとする課題が本発明の出願前に既に当業者に周知されていることを意味しない。
【発明の概要】
【発明が解決しようとする課題】
【０００４】
本発明の目的は、投影システムの設置コストを低減することができ、且つ表示画面の投影対象上での位置を移動しやすい投影機、投影システム及び映像投影方法を提供することにある。
【０００５】
本発明の他の目的及び利点は、本発明に開示されている技術的特徴からさらに理解することができる。
【課題を解決するための手段】
【０００６】
上述の１つ又は一部又は全部の目的或いは他の目的を達成するために、本発明の一実施例によれば、投影機が提供され、投影機は、映像処理回路、処理器回路及びメモリ回路を含む。映像処理回路は、第一映像画面を調整するために用いられる。処理器回路は、映像処理回路に電気接続される。処理器回路は、投影機の第一表示モード下で、第一映像画面を第二映像画面に結合するために用いられる。メモリ回路は、処理器回路に電気接続される。メモリ回路は、第二映像画面を予め記憶するために用いられる。投影機は、第一映像画面及び第二映像画面が結合された後の表示画面を投影対象に投影する。
【０００７】
また、本発明のもう１つの実施例によれば、投影機に用いる映像投影方法が提供される。映像投影方法は、ホスト・コンピューター・システムにより出力された第一映像画面を受信し、且つ第一映像画面を調整し；投影機の第一表示モード下で、第一映像画面を第二映像画面に結合し、第二映像画面は、予め投影機に記憶されており；及び、投影機の第一表示モード下で、第一映像画面及び第二映像画面が結合された後の表示画面を投影対象に投影するステップを含む。
【０００８】
また、本発明のもう１つの実施例によれば、投影システムが提供され、投影システムは、投影機、ホスト・コンピューター・システム及びタッチコントロール装置を含む。投影機は、第一映像画面を調整するために用いられる。投影機は、第一表示モード下で、第一映像画面を第二映像画面に結合する。投影機は、予め第二映像画面を記憶している。投影機は、第一映像画面及び第二映像画面が結合された後の表示画面を投影対象に投影する。ホスト・コンピューター・システムは、投影機に電気接続される。ホスト・コンピューター・システムは、第一映像画面を表示するために用いられる。投影機は、ホスト・コンピューター・システムから、第一映像画面を受信する。タッチコントロール装置は、投影機及びホスト・コンピューター・システムに電気接続される。タッチコントロール装置は、タッチコントロール信号を出力するために用いられる。投影機は、タッチコントロール信号に基づいて、第二映像画面上で、又は、第一映像画面及び第二映像画面が結合された後の表示画面上で、タッチコントロール情報を表示する。
【０００９】
上述により、本発明の実施例は、少なくとも、次のような１つの利点又は効果を有する。本発明の実施例では、投影機は、予め第二映像画面を記憶しており、第一表示モード下で、第一映像画面と第二映像画面とを重なり合うことにより、投影システムの設置コストを低減し、且つモードの切り替えをしやすくすることができる。
【００１０】
本発明の上述の特徴及び利点をより明らかにするために、以下、実施例を挙げ、添付した図面を参照することにより、詳細に説明する。
【図面の簡単な説明】
【００１１】
【図１】本発明の一実施例における投影システムを示す図である。
【図２】図1に示す実施例における投影機を示す図である。
【図３】本発明の一実施例における第二映像画面を示す図である。
【図４】本発明の一実施例における第一映像画面を示す図である。
【図５】本発明の一実施例における第一映像画面及び第二映像画面の結合を示す図である。
【図６】本発明の一実施例における第一映像画面及び第二映像画面の結合を示す図である。
【図７】本発明の一実施例における第一映像画面及び第二映像画面の結合を示す図である。
【図８】本発明の一実施例における映像投影方法のフローチャートである。
【図９】本発明の他の実施例における映像投影方法のフローチャートである。
【図１０】本発明の一実施例における投影システムの一部を示す図である。
【図１１】本発明の他の実施例における投影システムの一部を示す図である。
【発明を実施するための形態】
【００１２】
本発明の上述及び他の技術的内容、特徴、機能及び効果は、添付した図面に基づく次のような好適な実施例の詳細な説明により明確になる。なお、次の実施例に言及されている方向についての用語、例えば、上、下、左、右、前又は後などは、添付した図面の方向に過ぎない。よって、使用されている方向の用語は、本発明を説明するためだけのものであり、本発明を限定するためのものではない。
【００１３】
以下、複数の実施例を挙げて本発明を説明する。しかし、本発明は、例示されている複数の実施例に限定されない。また、実施例の間には、適切な結合があっても良い。なお、本出願の明細書全文(特許請求の範囲を含む)に使用されている“接続”という用語は、任意の直接又は間接的な接続手段を意味する。例えば、文の中で第一装置が第二装置に接続されると記載されている場合、該第一装置が該第二装置に直接的に接続されても良く、又は、該第一装置が他の装置又は接続手段により該第二装置に間接的に接続されても良いと解釈すべきである。また、“信号”という用語は、少なくとも、１つの電流、電圧、電荷、温度、データ、電磁波又は任意の他の１つ又は複数の信号を意味する。
【００１４】
図1は、本発明の一実施例における投影システムを示す図である。図2は、図1の実施例における投影機を示す図である。図1及び図2に示すように、本実施例の投影システム100は、投影機110、ホスト・コンピューター・システム120及びタッチコントロール装置140を含む。本実施例では、投影機110は、映像処理回路112、処理器回路114、メモリ回路116及びライトバルブ制御回路118を含む。そのうち、投影機110は、例えば、液晶（Liquid  Crystal  Display；LCD）投影機、デジタル・ライト・プロセッシング（Digital  Light  Processor；DLP）投影機又は超短焦点投影機(Ultra  short  throw  projector)などであり、映像を投影対象200に投影して表示させることができる。
【００１５】
本実施例では、タッチコントロール装置140は、投影機110及びホスト・コンピューター・システム120に電気接続される。使用者が投影対象200の前でオブジェクト（タッチするために用いられるものであり、能動型又は反射型スタイラス（タッチペン）130、使用者の手、又は、投影対象200に接近する使用者の手振りなどであっても良い）を用いて投影対象200に接触又は接近することにより、タッチコントロール装置140は、オブジェクトの投影対象200上での位置情報を得ることができる。なお、タッチコントロール装置140については、後述する。タッチコントロール装置140は、得た位置情報をホスト・コンピューター・システム120に送信し、ホスト・コンピューター・システム120は、位置情報の座標に対して座標の変換を施し、例えば、位置情報の座標を、対応する投影機の投影座標に変換し、そして、投影機の投影座標に対応するタッチコントロール情報と、ホスト・コンピューター・システム120が表示しようとする原映像画面とを結合し、第一映像画面を形成する。
【００１６】
本実施例では、ホスト・コンピューター・システム120は、表示スクリーン(図示せず)を有し、第一映像画面を表示させることができる。ホスト・コンピューター・システム120は、第一映像画面の信号を投影機110に送信し、投影機110は、第一映像画面を投影対象200に投影する。
【００１７】
投影する前に、映像処理回路112は、ホスト・コンピューター・システム120から第一映像画面の信号を受信し、且つ第一映像画面のアスペクト比（aspect  ratio）を、投影機の表示し得るサイズに合致するように調整し、例えば、第一映像画面のサイズを、投影対象200に投影し得るように縮小又は拡大するために用いられる。
【００１８】
本実施例では、ライトバルブ制御回路118は、例えば、テキサス・インスツルメンツ(Texas  Instruments)のDDPシリーズチップ、又は、微小電気機械システム(MEMS)技術に基づく制御用光学素子（例えば、デジタル・マイクロミラー・デバイス(Digital  Micromirror  Device；DMD)、即ち、よく知られているライトバルブ(light  valve)であり、液晶表示面板(Liquid  Crystal  Display  Panel；LCD  Panel)もそのうちの１つである）であっても良く、これにより、映像光束を投影対象200に投影させることができる。
【００１９】
本実施例では、投影機110は、複数の異なる表示モード、例えば、第一表示モード、第二表示モード及び第三表示モードを有する。第一表示モード下では、処理器回路114は、第一映像画面を第二映像画面に結合し、且つ投影機110は、第一映像画面及び第二映像画面が結合された後の表示画面を投影対象200に投影し、そのうち、第二映像画面は、予め投影機110のメモリ回路116に記憶されても良いが、これに限定さらない。第二表示モード下では、投影機110は、ホスト・コンピューター・システム120の表示スクリーンに表示されている第一映像画面を投影対象200に投影する。第三表示モード下では、投影機110は、予め投影機110のメモリ回路116に記憶されている第二映像画面を投影対象200に投影する。
【００２０】
本実施例では、映像処理回路112及び処理器回路114は、例えば、それぞれ、中央処理装置(Central  Processing  Unit；CPU)、マイクロプロセッサ(Microprocessor)、映像サイズの縮拡（縮小／拡大）ユニット(Scalar)、デジタル信号処理器(Digital  Signal  Processor；DSP)、プログラマブル制御器、プログラマブル・ロジック・デバイス(Programmable  Logic  Device；PLD)又は他の類似した装置或いはこれらの装置の組み合わせを含んでも良いが、本発明は、これについて限定しない。また、本実施例では、メモリ回路116は、本発明の属する技術分野における任意のメモリアーキテクチャにより実施されても良いが、本発明は、これについて限定しない。なお、そのアーキテクチャ及び実施方式は、本発明の属する技術分野における周知技術から、十分な教示、アドバイス及び実施説明を得ることができるため、ここでは、その詳しい記載を省略する。例えば、メモリ回路116は、次のような複数のメモリから選択された任意の１つであっても良く、即ち、揮発性メモリ（例えば、ダイナミック・ランダム・アクセス・メモリ（dynamic  random-access  memory；DRAM）、スタティックRAM（static  RAM；SRAM）又は同期ダイナミックRAM（synchronous  dynamic  RAM；SDRAM））、不揮発性メモリ（例えば、ワンタイム・プログラマブル・リード・オンリー・メモリ（one-time  programmable  read-only  memory；OTPROM）、プログラマブルROM（programmable  ROM；PROM）、消去可能プログラマブルROM（erasable  and  programmable  ROM；EPROM）、電気的消去可能プログラマブルROM（electrically  erasable  and  programmable  ROM；EEPROM）、マスクROM及びフラッシROM）、ハードディスクドライブ（hard  disk  drive；HDD）、及びソリッド・ステート・ドライブ（solid-state drive；SSD）である。
【００２１】
本実施例では、ホスト・コンピューター・システム120は、例えば、スマートフォン、ウエアラブル電子装置、タブレットPC、パーソナル・デジタル・アシスタント(Personal  Digital  Assistant；PDA)又はノートPCなどの、独立してワーキング可能な携帯電子装置、或いは、例えば、インテリジェント・ロボット、中央制御システム、クラウドサーバ制御センター及びデスクトップPCなどの、システム制御機能を有する電子装置であっても良いが、本発明は、これについて限定しない。
【００２２】
図3は、本発明の一実施例における第二映像画面を示す図である。図1乃至図3に示すように、本実施例では、投影対象は、例えば、実体ブラックボード、実体ホワイトボード又は投影スクリーン(図示せず)であっても良いが、これに限定されず、且つ予めメモリ回路116に記憶されている第二映像画面は、例えば、所定の画面である。例えば、所定の画面は、複数の線分を有する図様又は五線譜を有する図様であって良く、これにより、使用者が固定図様を描く時間を節約することができる。本実施例の第二映像画面300は、例えば、複数の線分図様を有する所定の画面である。投影機110は、第二映像画面を実体ブラックボードに投影し、ホスト・コンピューター・システム120により提供された第一映像画面が第二映像画面に結合されるかどうかにもかかわらず、投影機110は、ホスト・コンピューター・システム120により提供されたタッチコントロール情報に基づいて、第一映像画面を第二映像画面に結合し、実体ブラックボードに表示させることができる。タッチコントロール情報は、例えば、使用者による第二映像画面上での注釈及び標識、例えば、図3に示す文字符号(例えば、英語字母)を含む。なお、このようなタッチコントロール情報は、例示に過ぎず、本発明を限定するためのものでない。また、第三表示モード下では、投影機110は、例えば、予めメモリ回路116に記憶されている第二映像画面300を投影対象200に投影する。
【００２３】
図4は、本発明の一実施例における第一映像画面を示す図である。図4に示すように、本実施例の第一映像画面400は、例えば、投影機110が投影対象200に投影する映像画面である。第一映像画面400が示す映像情報は、例えば、第二映像画面上でのタッチコントロール情報に関連しても良く、関連しなくても良いが、本発明は、これについて限定しない。よって、第二表示モード下では、投影機110は、ホスト・コンピューター・システム120の表示スクリーンに表示されている第一映像画面400を投影対象200に投影する。
【００２４】
図5、図6及び図7は、それぞれ、本発明の異なる実施例における第一映像画面及び第二映像画面の結合を示す図である。図5、図6及び図7に示すように、第一表示モード下では、処理器回路114は、第一映像画面400を第二映像画面300に結合し、且つ投影機110は、第一映像画面400及び第二映像画面300の結合後の表示画面を投影対象200に投影する。図5、図6及び図7は、それぞれ、第一映像画面400の、第二映像画面300の異なる位置への結合を示し、例えば、第一映像画面400が第二映像画面300の左側、中央、右側に位置することを含む。言い換えると、第一映像画面400は、第二映像画面300の単一（シングル）位置に固定されても良いが、これに限定されない。処理器回路114は、例えば、制御信号に基づいて、第一映像画面400の、第二映像画面300への結合の相対位置を制御する。本実施例では、制御信号は、例えば、手振り500、又は、タッチコントロール装置140により提供されたタッチコントロール信号及びリモコンの出力信号のうちの１つである。例えば、手振り500は、使用者が投影システム100を操作する時に投影対象200の前で行った手の動作であり、タッチコントロール装置140のセンシングにより得られたタッチコントロール信号は、制御信号とされても良い。タッチコントロール信号は、例えば、使用者が投影対象200をタッチする時にタッチコントロール装置140が得た信号であり、例えば、スタイラス130などを用いても良い。なお、これについては、図10と図11及びその対応する段落の説明を参照することができる。リモコンの出力信号は、例えば、投影機110それ自体が持っているリモコン(図示せず)から出力された信号であり、制御信号とされても良い。このようなリモコンは、投影機110に対して一般的な投影制御操作を行うことができる他に、第一映像画面400の、第二映像画面300に対応する位置を制御することもできる。よって、第一表示モード下では、投影機110は、第一映像画面400及び第二映像画面300の結合後の表示画面を投影対象200に投影し、処理器回路114は、制御信号に基づいて、映像情報をライトバルブ制御回路118に提供し、そのうち、映像情報は、第一映像画面400及び第二映像画面300の結合後の表示画面の信号を表し、これにより、ライトバルブ制御回路118は、ライトバルブ(図示せず)を制御して、第一映像画面400及び第二映像画面300の結合後の表示画面を投影対象200に投影させることができる。上述から分かるように、処理器回路114は、ライトバルブ制御回路118により、制御信号に基づいて、第一映像画面400の、第二映像画面300に対応する位置を動的に調整することができる。
【００２５】
図8は、本発明の一実施例における映像投影方法のフローチャートである。図8に示すように、本実施例の映像投影方法は、少なくとも、図1及び図2の投影システム100及び投影機110に用いることができる。図1及び図2の投影システム100及び投影機110を例とする。ステップS100では、投影機110は、ホスト・コンピューター・システム120から出力された第一映像画面400を受信し、且つ第一映像画面400のサイズを調整する。ステップS110では、第一表示モード下で、投影機110は、第一映像画面400を、予め記憶された第二映像画面300に結合する。ステップS120では、第一表示モード下で、投影機110は、第一映像画面400及び第二映像画面300の結合後の表示画面を投影対象200に投影する。また、本発明の実施例における映像投影方法は、図1乃至図7に示す実施例に関する記載から、十分な教示、アドバイス及び実施説明を得ることができるため、ここでは、その詳しい説明を省略する。
【００２６】
図9は、本発明のもう１つの実施例における映像投影方法のフローチャートである。図9に示すように、本実施例の映像投影方法は、少なくとも、図1及び図2の投影システム100及び投影機110に用いることができる。図1及び図2の投影システム100及び投影装置110を例とする。本実施例では、投影機110は、例えば、予め、スイッチを入れると第三表示モードを起動し得ると設定されている。ステップでは、投影機110は、予め記憶された第二映像画面300を投影対象200に投影する。ステップでは、投影機110は、ホスト・コンピューター・システム120からの第一映像画面を受信するかを判断する。「いいえ」の場合、投影機110は、ステップS220を実行する。ステップS220では、第三表示モード下で、投影機110は、タッチコントロール装置140のタッチコントロール信号に基づいて、第二映像画面300上でタッチコントロール情報を表示させ、即ち、第二映像画面300とタッチコントロール情報との結合後のものを投影対象200に表示させる。「はい」の場合、投影機110は、ステップS230を実行する。
【００２７】
ステップS230では、投影機110は、表示モードを第三表示モードから第一表示モードに切り替え、また、投影機110は、第一映像画面400のサイズを調整し、且つ第一映像画面400を第二映像画面300に結合する。ステップS240では、第一表示モード下で、投影機110は、第一映像画面400及び第二映像画面300の結合後の表示画面を投影対象200に投影する。続いて、ステップS250では、投影機110は、第一映像画面400の、第二映像画面300に対応する位置を調整する必要があるかを判断する。「いいえ」の場合、ステップS260では、投影機110は、タッチコントロール装置140のタッチコントロール信号に基づいて、第一映像画面400及び第二映像画面300の結合後の表示画面上でタッチコントロール情報を表示させる。「はい」の場合、ステップS270では、投影機110は、制御信号に基づいて、第一映像画面400の、第二映像画面300に対応する位置を制御する。第一映像画面400の位置が決定された後に、投影機110は、ステップS260を実行する。必要がある場合、投影機110は、ステップS260からステップS250に戻し、第一映像画面400の位置を調整する必要があるかを再び判断する。
【００２８】
図10は、本発明の一実施例における投影システムの一部を示す図である。図10に示すように、投影システム100’の一部は、投影機110、不可視光発射器121及びタッチコントロール装置140を含む。タッチコントロール装置140は、処理ユニット150を含み、そのうち、処理ユニット150は、投影機110に電気結合される。一部の実施例では、処理ユニット150は、タッチコントロール装置140とは別に設けられ、電気接続によりタッチコントロール装置140に結合されても良く、タッチコントロール装置140は、例えば、投影機110内に設置されても良いが、これに限定されない。処理ユニット150は、中央処理装置(Central  Processing  Unit；CPU)、マイクロプロセッサ(Microprocessor)、デジタル信号処理器(Digital  Signal  Processor；DSP)、プログラマブル制御器、プログラマブル・ロジック・デバイス(Programmable  Logic  Device；PLD)又は他の類似した装置或いはこれらの装置の組み合わせであっても良いが、本発明は、これについて限定しない。
【００２９】
投影機110は、投影画面を投影対象200に投影することができる。不可視光発射器121は、例えば、レーザー発射器(赤外線レーザー発射器)であり、投影対象200に平行な不可視光カーテン(Invisible  Light  Curtain)Cであって、投影対象200全体をカバーし、また、投影画面に対応するものを生成することにより、タッチコントロール領域を形成するために用いられる。不可視光発射器121は、投影画面の辺縁（エッジ）の位置に配置されても良く、例えば、投影画面の上方の辺縁の中間位置に近接配置されても良い。不可視光発射器121は、不可視光束ILを発して発散させ、投影対象200に平行な不可視光カーテンCを形成することができる。そのうち、不可視光カーテンCは、投影画面をカバーしてタッチコントロール領域を形成する。本実施例では、不可視光カーテンCは、少なくとも、投影画面全体をカバーするが、不可視光発射器121の配置位置及び不可視光束ILの発散角度により、不可視光カーテンCのサイズを確定することができ、本発明は、これについて限定しない。また、不可視光発射器121は、反射光束を生成する方式で、又は、他の適切な光学素子を用いる方式で、不可視光カーテンCを形成することもできるが、本発明は、これについて限定しない。
【００３０】
タッチコントロール装置140は、例えば、カメラ、ビデオカメラ、光センサ(例えば、輝度をセンシングするもの)又は他の映像／信号取得装置である。例えば、タッチコントロール装置140は、投影機110に配置され、投影対象200に面する方向でタッチコントロール画面を得るために用いられる。また、タッチコントロール装置140は、さらに、タッチするために用いられるオブジェクト（例えば、ユーザの手指又はスタイラスなど）がタッチコントロール領域で不可視光カーテンCを接触した時に生じる反射光点を検出することにより、タッチ検出の機能を実現するために用いられても良い。よって、タッチコントロール装置140がキャプチャー（capture）した映像画面は、実際に、タッチコントロール領域をカバーすることができる。
【００３１】
図11は、本発明のもう１つの実施例における投影システムの一部を示す図である。図11に示すように、図10の実施例と相違点は、タッチコントロール装置が異なることにある。本実施例のタッチコントロール装置140は、固定端50に固定され、固定端50は、例えば、壁面又は他の適切な支え面である。タッチコントロール装置140は、投影対象200と固定端50との間に設置され得るフレキシブル容量式タッチコントロール膜110を含み、例えば、投影対象200が白い反射膜である場合、フレキシブル容量式タッチコントロール膜110は、投影対象200の後側に取り付けられても良く、或いは、タッチコントロール装置140は、タッチコントロール信号を受信し得るハード容量式タッチコントロールパネルである。なお、本発明の実施例における映像投影方法は、図1乃至図7に示す実施例に関連する記載から、十分な教示、アドバイス及び実施説明を得ることができるため、ここでは、その詳しい説明を省略する。
【００３２】
以上を纏めると、本発明の実施例は、少なくとも、次のような１つの利点又は効果を有する。本発明の実施例では、投影機は、予め第二映像画面を記憶しており、第一表示モード下で、第一映像画面を第二映像画面に結合する。第一映像画面の第二映像画面上での結合は、制御信号に基づいて調整することができ、これにより、システムの設置コストを低減することができる。また、投影機は、設定に従って、複数の異なる表示モードの間で任意に切り替えることができるため、使用上の便利性を向上させることもできる。
【００３３】
本発明は、前述した好適な実施例に基づいて以上のように開示されたが、前述した好適な実施例は、本発明を限定するためのものでなく、当業者は、本発明の精神と範囲を離脱しない限り、本発明に対して些細な変更と潤色を行うことができるので、本発明の保護範囲は、添付した特許請求の範囲に定まったものを基準とする。また、本発明の何れの実施例又は特許請求の範囲は、本発明に開示された全ての目的又は利点又は特徴を達成する必要がない。また、要約の一部と発明の名称は、文献の検索を助けるためのみのものであり、本発明の権利範囲を限定するものでない。また、本明細書又は特許請求の範囲に言及されている「第一」、「第二」などの用語は、要素（element）に名前を付け、又は、異なる実施例又は範囲を区別するためのもののみであり、要素の数量上の上限又は下限を限定するためのものでない。
【符号の説明】
【００３４】
50：固定端
100：投影システム
100’：投影システムの一部
110：投影機
112：映像処理回路
114：処理器回路
116：メモリ回路
118：ライトバルブ制御回路
120：ホスト・コンピューター・システム
121：不可視光発射器
130：スタイラス
140：タッチコントロール装置
150：処理ユニット
200：投影対象
300：第二映像画面
400：第一映像画面
500：手振り（hand  gesture）
S100、S110、S120、S220、S230、S240、S250、S260、S270：方法のステップ
C：不可視光カーテン
IL：不可視光束
【図１】
2018066991.tif 000003
【図２】
2018066991.tif 000004
【図３】
2018066991.tif 000005
【図４】
2018066991.tif 000006
【図５】
2018066991.tif 000007
【図６】
2018066991.tif 000008
【図７】
2018066991.tif 000009
【図８】
2018066991.tif 000010
【図９】
2018066991.tif 000011
【図１０】
2018066991.tif 000012
【図１１】
2018066991.tif 000013